(57)【要約】  本発明はランプ、とりわけハロゲン白熱ランプに関するものである。このランプは、圧潰パッキンの設けられたランプ容器を有し、この圧潰パッキンは固定リングを介してソケットに装着されている。この固定リングは収容区間を有し、この収容区間には圧潰パッキンが、支持面に支持された固定リングのホールドプレートによって締付け固定されている。本発明によれば、前記支持面はランプ長手軸に対して斜めに立て掛けられている。
2010514116.tif 000002
【特許請求の範囲】
【請求項１】
ランプ、とりわけハロゲン白熱ランプが、圧潰パッキン（２６）の設けられたランプ容器（２）を有し、
該圧潰パッキンは固定リング（５０）を介してソケット（２８）に装着されており、
前記固定リング（５０）は収容区間（５２）を有し、
該収容区間には前記圧潰パッキン（２６）が、支持面（５６）に支持された固定リング（５０）のホールドプレート（５８）によって締付け固定されている形式のランプにおいて、
前記支持面（５６）はランプ長手軸（６８）に対して斜めに立て掛けられている、ことを特徴とするランプ。
【請求項２】
請求項１記載のランプであって、
前記支持面（５６）はそれぞれ、ランプ長手軸（６８）に対して９０°以下の角度αで配置されているランプ。
【請求項３】
請求項１または２記載のランプであって、
それぞれ２つの支持突起（５４）が前記圧潰パッキン（２６）の幅広側（６０，６２）に配置されており、
前記支持突起はホールドプレート（５８）と共働するそれぞれ１つの支持面（５６）を有するランプ。
【請求項４】
請求項１から３までのいずれか一項記載のランプであって、
前記支持面（５６）は、ランプ長手軸（６８）に対して約６０から８５°の領域の角度αで配置されているランプ。
【請求項５】
請求項１から４までのいずれか一項記載のランプであって、
前記支持面（５６）はそれぞれ、ホールドプレート（５８）の角領域（７０）と協働するランプ。
【請求項６】
請求項１から５までのいずれか一項記載のランプであって、
圧潰パッキン（２６）の幅広側（６０，６２）はそれぞれ、固定リング（５０）の支持プレート（６４）に当接する奥行きストッパ（６６）を有するランプ。
【請求項７】
請求項１から６までのいずれか一項記載のランプであって、
固定リング（５０）は少なくとも２つのばねプレート（７２，７４）を有し、該ばねプレートは圧潰パッキン（２６）の幅狭側（７８，８０）と当接しているランプ。
【請求項８】
請求項７記載のランプであって、
ホールドプレート（５８）および／またはばねプレート（７２，７４）は少なくとも部分的に弓形ないしそり形に構成されているランプ。
【請求項９】
請求項１から８までのいずれか一項記載のランプであって、
圧潰パッキン（２６）はソケット方向に先細になっているランプ。
【発明の詳細な説明】
【技術分野】
【０００１】
本発明はランプ、とりわけハロゲン白熱ランプに関するものである。このランプは、圧潰パッキンの設けられたランプ容器を有し、この圧潰パッキンは固定リングを介してソケットに装着されている。この固定リングは収容区間を有し、この収容区間には圧潰パッキンが、支持面に支持された固定リングのホールドプレートによって締付け固定されている。
【背景技術】
【０００２】
この種のランプは例えば出願人のWO 1996/05610 A1から公知である。この従来の車両用ランプは、片側が圧潰パッキンにより密閉された透明ランプ容器を有する。圧潰パッキンは固定リングを介してソケットに装着される。この固定リングは収容区間を有し、この収容区間には圧潰パッキンが、圧潰パッキンの支持突起に支持されたホールドプレートによって締付け固定されている。圧潰パッキンの各幅広側には２つの支持突起が配置されており、これらの支持突起はそれぞれ、支持突起の支持面に支持される固定リングのホールドプレートと共働する。この解決手段では、支持面がランプ長手軸に対して約９０°の角度で延在しており、これにより圧潰パッキンはランプ長手軸の方向に支持される。圧潰パッキンをランプ長手軸に対して横方向に支持するために、圧潰パッキンの幅広側には中央で、それぞれ長手方向に延在する案内ウェブが形成されている。この案内ウェブは固定リングの相応する案内切欠部に係合し、圧潰パッキンを側方に固定する。
【０００３】
この種のランプの欠点は、案内突起に加えて案内ウェブが圧潰パッキン上に付加的に必要なことである。これは圧潰パッキンを側方に支持するためであり、そのためこの形式のランプは装置技術的に面倒であり、これにより製造コストが高い。
【先行技術文献】
【特許文献】
【０００４】
【特許文献１】WO 1996/05610 A1
【発明の概要】
【発明が解決しようとする課題】
【０００５】
本発明の基礎とする課題は、圧潰パッキンを固定リングに機械的に良好に保持することができ、かつ必要な製造技術的コストが最小であるランプを提供することである。
【課題を解決するための手段】
【０００６】
この課題は、ランプ、とりわけハロゲン白熱ランプであって、圧潰パッキンの設けられたランプ容器を有し、この圧潰パッキンは固定リングを介してソケットに装着されており、この固定リングは収容区間を有し、この収容区間には圧潰パッキンが、支持面に支持された固定リングのホールドプレートによって締付け固定され、前記支持面はランプ長手軸に対して斜めに立て掛けられているランプによって解決される。本発明のとくに有利な実施形態は従属請求項に記載されている。
【発明の効果】
【０００７】
本発明の解決手段では、固定リング支持部が、WO 1996/056.10 A1による従来技術とは異なりランプ長手軸に対して垂直には延在せず、外側に向かってわずかに斜めに傾斜している。これにより圧潰パッキンは側方でも固定リングに支持される。本発明の圧潰部プロフィールにより、圧潰パッキンのランプ長手軸方向での支持も、これに対して垂直方向での支持も達成される。これにより、ランプ容器−圧潰パッキン−ソケットの系統の機械的安定性が格段に改善される。このことはとりわけランプを前照灯で使用する場合に有利である。なぜなら現在通常のオートメーション装着では、比較的高い横力が固定システムに作用するからである。さらに圧潰パッキンを側方で支持することにより、この方向での公差も小さくなる。このことはランプの精度、および前照灯投影を改善する。本発明の圧潰部幾何形状は、水晶ガラス製のランプ容器の場合でも可能である。
【０００８】
本発明のとくに有利な実施例では、支持面がランプ長手軸に対してそれぞれ９０°以下の角度αで配置されている。有利にはそれぞれ２つの支持突起が圧潰パッキンの幅広側に形成されており、これらの支持突起はホールドプレートと共働するそれぞれ１つの支持面を有する。
【０００９】
支持面がそれぞれランプ長手軸に対して約６０から８５゜の領域の角度を有すると有利であることが判明した。支持面は有利な実施例ではそれぞれ、ホールドプレートの角領域と協働する。
【００１０】
圧潰パッキンの幅広側がそれぞれ、固定リングの支持プレートに当接する少なくとも１つの奥行きストッパを有すると製造技術的にとくに有利であることが判明した。この奥行きストッパにより、ホールドプレートと協同して圧潰パッキンを固定リング内に遊びなしで軸方向に固定することができる。
【００１１】
圧潰パッキンの側方支持は、固定リングが少なくとも２つのばねプレートを有し、このばねプレートが圧潰パッキンの幅狭側と当接するとさらに改善される。
【００１２】
保持プレートおよび／またはばねプレートの端部区間はランプの有利な実施例では、少なくとも部分的に弓形および／またはそり形に構成されている。これにより圧潰パッキンの固定リングへの導入がさらに改善される。
【００１３】
圧潰パッキンは有利にはソケット方向に先細になっている。この手段により固定リングへの装着時に、圧潰パッキンが損傷する危険性がさらに低減され、製造時の圧潰パッキンの仕上げが容易になる。
【００１４】
次に、有利な実施例に基づき本発明について詳しく説明する。
【図面の簡単な説明】
【００１５】
【図１】ハロゲンランプとして構成された本発明のランプの正面図である。
【図２】固定リングの領域のランプの断面図である。
【図３】圧潰パッキンの概略図である。
【図４】第２実施例による圧潰パッキンの概略図である。
【図５】別の実施例による圧潰パッキンの概略図である。
【発明を実施するための形態】
【００１６】
本発明を以下、車両前照灯用の片側ソケットランプに基づいて説明する。しかし本発明のランプは、このようなランプ形式に限定されない。
【００１７】
図１は、ハロゲンランプとして構成された本発明のランプの正面図である。このランプは例えば車両前照灯に使用される。このランプは実質的にシリンダ状のランプ容器２を有する。ランプ容器の内室４には２つの白熱フィラメント６，８が配置されており、これらは例えばハイビームとデイドライビング光の形成のために、またはハイビームとロービームの形成のために使用される。白熱フィラメント６，８のフィラメント端部１０，１２，１４，１６にはそれぞれ１つの溶接サポート部１８が設けられており電流供給ワイヤ２０，２２，２４を介して電気的に接続されている。
【００１８】
ランプ容器２は片側の圧潰パッキン２６により密閉され、ソケット２８に装着される。ソケット２８とは反対側のランプ容器キャップ３０には透明な被膜部３２が設けられている。白熱フィラメント６は、モリブデン薄板からなる遮光キャップ３４により部分的に包囲されている。この遮光キャップは電流供給ワイヤ２０により支持され、電流供給ワイヤ２０は電流供給ワイヤ２２，２４とともに両方の白熱フィラメント６，８のエネルギ供給に用いられる。このために白熱フィラメント６のフィラメント端部１０は、遮光キャップ３４の溶接ラグ３６と突起溶接されており、これを介して電流供給ワイヤ２０と導電接続されている。白熱フィラメント６の第２のフィラメント端部１２は電流供給ワイヤ２４と接続されている。白熱フィラメント８のフィラメント端部１４も同様に電流供給ワイヤ２４と溶接されている。白熱フィラメント８の第２のフィラメント端部１６は電流供給ワイヤ２２と接続されている。
【００１９】
電流供給ワイヤ２０，２２，２４は相互に溶融された水晶ガラスブリッジ３８の間に固定されている。これにより電流供給ワイヤは共通の平面に配置され、コンタクトラグとして構成されたコンタクトエレメント４０とそれぞれ導電接続されている。コンタクトラグ４０は、電流供給ワイヤ２０，２２，２４の方向に対して約９０°の角度で延在し、側方にソケット２８から突出し、ハロゲン白熱ランプ１の電気端子を形成している。ソケット２８は射出成形部材として構成されたプラスチックソケット部４２を有し、このプラスチックソケット部４２にはコンタクトラグ４０が埋め込まれている。プラスチックソケット部４２にはランプ容器側で、ばねリング４４と、プラスチックソケット部４２に埋め込まれた金属スリーブ４６が隣接している。金属スリーブ４８には固定リング５０が固定されており、この固定リングはランプ容器２の圧潰パッキン２６を保持するために用いられる。このことを以下、図２に基づいて詳細に説明する。図２は、固定リング５０の領域でのランプの断面を示す。
【００２０】
図２によれば、固定リング５０は収容区間５２を有する。この収容区間では圧潰パッキン２６が、支持突起５４に形成された支持面５６に支持されるホールドプレート５８によって締付け固定されている。支持突起５４は段状に構成されており、ソケット方向に先細になっている。圧潰パッキン２６の幅広側６０，６２がそれぞれ、固定リング５０の支持プレート６４に当接する少なくとも１つの奥行きストッパ６６を有すると製造技術的にとくに有利であることが判明した。
【００２１】
奥行きストッパ６６は、ソケット方向に先細になった突起として構成されており、ホールドプレート５８と協働して圧潰パッキン２６を固定リング５０内に軸方向で遊びなしで固定する。
【００２２】
圧潰パッキン２６の正面を示す図３から分かるように、それぞれ２つの支持突起５４が圧潰パッキン２６の幅広側６０，６２の一方に配置されている。２つの支持突起５４はそれぞれ、ホールドプレート５８と協同する支持面５６を有する。支持面５６はそれぞれ、ランプ長手軸６８に対して９０°以下の角度αで延在する。固定リング支持部は外に向かって軽く傾斜して延在する。本発明の圧潰部プロフィールにより、圧潰パッキン２６がランプ長手軸方向に支持されるとともに、これに対して垂直方向にも支持される。したがって圧潰パッキン２６は側方にも固定リング５０に支持される。
【００２３】
支持面５６がそれぞれランプ長手軸６８に対して約６０から８５゜の領域の角度αを有すると有利であることが判明した。支持面５６は、図示の実施例ではそれぞれ、ホールドプレート５８の角領域７０と協働する。作用するトラッキングフォースは、矢印により示すように下方成分、右成分および左成分に分散される。これにより、ランプ容器−圧潰パッキン−固定リングの系統の機械的安定性が格段に改善される。このことはとりわけランプ１を前照灯で使用する場合に有利である。なぜなら現在通常のオートメーション装着では、比較的高い横力が固定システムに作用するからである。さらに圧潰パッキン２６を側方で支持することにより、この方向での公差も小さくなる。このことはランプ１の精度、および前照灯投影を改善する。
【００２４】
圧潰パッキン２６の側方支持はさらに、固定リング５０のそれぞれのばねプレート７２，７４によって改善される。このばねプレートはほぼ弓状の端部区間７６を介して、圧潰パッキン２６の幅狭側７８，８０と当接される。圧潰パッキン２６の幅広側６０，６２にはそれぞれ２つの奥行きストッパ６６が設けられている。奥行きストッパ６６はホールドプレート５８と協同して、圧潰パッキン２６を固定リング５０内で軸方向に遊びなしで固定する。
【００２５】
図４は本発明の実施例を示す。この実施例では圧潰パッキン２６の幅狭側７８、８０がランプ長手軸６８に対して斜めに立て掛けられている。これにより圧潰パッキン２６はソケット方向に先細になっている。この手段により、固定リング５０への装着時に圧潰パッキン２６が損傷する危険性がさらに低減される。さらに先細になった圧潰パッキン２６は圧潰部の製造時の仕上げを容易にする。支持突起５４と奥行きストッパ６６は図示されていない。
【００２６】
図５の実施例では、側方支持のために設けられたばねプレート７２，７４の端部区間７６が部分的にそり形に構成されている。これにより圧潰パッキン２６の固定リング５０への導入と保持がさらに改善される。
【００２７】
ランプ１、とりわけハロゲン白熱ランプが、圧潰パッキン２６の設けられたランプ容器２を有し、この圧潰パッキンは固定リング５０を介してソケット２８に装着されている。
この固定リング５０は収容区間５２を有し、この収容区間には圧潰パッキン２６が、支持面５６に支持された固定リング５０のホールドプレート５８によって締付け固定されている。本発明によれば、前記支持面５６はランプ長手軸に対して斜めに立て掛けられている。
【図１】
2010514116.tif 000003
【図２】
2010514116.tif 000004
【図３】
2010514116.tif 000005
【図４】
2010514116.tif 000006
【図５】
2010514116.tif 000007
【国際調査報告】
2010514116.tif 000008
2010514116.tif 000009
2010514116.tif 000010
2010514116.tif 000011